(57)【要約】      （修正有）【課題】想定できない面白い動きを生み出すことができるペア人形を提供する。【解決手段】ペア人形は、動力源４７を有し且つその動力源により自動的に動く揺動部３１を少なくとも一部分に設けた揺動人形３０と、少なくとも一部分に外力に応じて振動する可動部２２を設けた振動人形２０とを、相互に接触するように据え付けた設置台１０を備える。揺動人形３０の動力源４７は太陽電池その他の電池とすることができる。揺動人形３０の揺動部３１と振動人形２０の可動部２２とが相互に接触するように据え付ける。更に、設置台１０上に揺動人形３０と振動人形２０とを取り外し可能に据え付ける複数の留め部材１２を設ける。【選択図】図１
0003231678.tif 000002
【実用新案登録請求の範囲】
【請求項１】
動力源を有し且つその動力源により自動的に動く揺動部を少なくとも一部分に設けた揺動人形と，少なくとも一部分に外力に応じて振動する可動部を設けた振動人形と，前記揺動人形と前記振動人形とを相互に接触するように据え付ける設置台とを備えてなるペア人形。
【請求項２】
請求項１のペア人形において，前記揺動人形の動力源を，太陽電池その他の電池としてなるペア人形。
【請求項３】
請求項１又は２のペア人形において，前記設置台上に前記揺動人形と前記振動人形とを，前記揺動人形の揺動部と前記振動人形の可動部とが相互に接触するように据え付けてなるペア人形。
【請求項４】
請求項１から３の何れかのペア人形において，前記設置台上に前記揺動人形および振動人形の少なくとも一方を取り外し可能に据え付ける複数の留め部材を設けてなるペア人形。
【請求項５】
請求項１から４の何れかのペア人形において，前記設置台上に密着させて水準器を設けてなるペア人形。
【考案の詳細な説明】
【技術分野】
【０００１】
本考案はペア人形に関し，とくに動力源を有して自動的に揺動する人形を用いたペア人形に関する。
【背景技術】
【０００２】
従来から，動力源として電池を内蔵し，自動的にゆらゆら揺動する様々な人形，玩具，アクセサリー置物等（以下，これらをまとめて揺動人形という。）が知られている。例えば特許文献１は，人の外観の装飾を施した蓋付き円筒状の外部装着材５１（図４（Ｃ）参照）と，その外部装着材５１の内側空間に着脱自在に装着するフレーム部（揺動部）３１（図４（Ａ）参照）と，そのフレーム部３１を揺動および回転自在に支持する軸受け部（非揺動部）４１（図４（Ｂ）参照）とで構成され，前後左右に方向を変えながら自動的に揺動する揺動人形３０を開示している。
【０００３】
図４（Ｃ）の外部装着材５１は，例えばアルミ缶の外面に人形らしい顔を描き，装飾用の手腕部５２ａ，５２ｂおよびメガネを取り付けたものである。図４（Ａ）の筒状フレーム部３１は，外部装着材５１の内側空間の形状に合わせて薄い鉄板を折り曲げた弾性枠部３２と，その枠部３２の下部に取り付けた中空円筒状の基礎部３３とを有し，外側に被せる外部装着材５１の下端を保持するため，基礎部３３の底部に外部装着材５１より若干大きい外径で張り出したフランジ部３４を設けている。弾性枠部３２の外径は外部装着材５１の内側空間の内径より少し大きくすることにより，外側に被せる外部装着材５１を弾性によって枠部３２の外周に密着させて固定することができる。
【０００４】
図４（Ａ）に示すように，筒状フレーム部３１の枠部３２の上部中央下側には永久磁石３９を固着し，基礎部３３の内側には下向きピボット軸３６を先端に有する支持部材３５を固定する。永久磁石３９は，磁力線が垂直方向に放射されるように配置する。また支持部材３５の先端のピボット軸３６は，外部装着材５１を被せた筒状フレーム部３１の全体の重心Ｃとなる位置に配置し，外部装着材５１を被せた筒状フレーム部３１の全体を一点でバランスよく支えることを可能とする。
【０００５】
図４（Ｂ）の軸受け部４１は，人形の２本の足の形を模した据え付け部４３ａ，４３ｂと，その据え付け部４３ａ，４３ｂの下端部を固定する電池（例えば太陽電池）４７付き台座４２と，２本の足が一体となる中間部に固定したピポット軸受４４と，一体となった足の上端部に取り付けたコイル４５とを有している。中間部のピポット軸受４４は，筒状フレーム部３１のピボット軸３６を載せて１点で支持することができるものであり，外部装着材５１および筒状フレーム部３１の全体の荷重が載っても軸受け部４１が転倒しないように，軸受け部４１の中心近くに配置されている。
【０００６】
軸受け部４１の上端部のコイル４５は，磁力線が垂直方向に放射されるような向きに配置され，筒状フレーム部３１のピボット軸３６をピポット軸受４４に載せたときに，筒状フレーム部３１の永久磁石３９の下方に所要間隙で対向するように設計されている。台座４２には電池４７と共に断続的に通電を行うスイッチング回路が内蔵されており，コイル４５から延ばした２本のリード線４６ａ，４６ｂはスイッチング回路を介して電池４７と接続されている。
【０００７】
図４（Ｃ）に示すように，外部装着材５１を被せた筒状フレーム部３１のピボット軸３６を軸受け部４１のピポット軸受４４に支持したうえで，電池４７からスイッチング回路を介してコイル４５に通電を開始すると，通電されたコイル４５と永久磁石３９とは共に同じ極（例えばＮ極）が対向することになり，働く電磁力によって両者が互いに反発しあう。コイル４５は台座４２上に固定されているので，永久磁石３９と一体の筒状フレーム部３１が反発力を受けて動き出し，ピボット軸３６を配置した重心Ｃのまわりに振り子状の揺動を開始する。
【０００８】
スイッチング回路により通電が停止すると，筒状フレーム部３１に加わる反発力はなくなるが，ピポット軸３６は摩擦力が極めて小さいので，筒状フレーム部３１は揺動を継続する。しかも，ピポット軸３６は１点で支持されているので筒状フレーム部３１はあらゆる方向へ傾斜可能であり，筒状フレーム部３１は揺動しながら傾斜方向を変えることができる。スイッチング回路の通電が再開すると再び筒状フレーム部３１に反発力が加わるが，傾斜方向を変えた筒状フレーム部３１は前回の通電時と異なる方向に揺動を開始する。すなわち，図４（Ｃ）の揺動人形３０は，筒状フレーム部３１（揺動部）が常に一定方向に揺動するのではなく，筒状フレーム部３１（揺動部）が自動的に前後左右に方向を循環的に変えながら揺動し続けることができる。
【先行技術文献】
【特許文献】
【０００９】
【特許文献１】特開平５−２６９２５９号公報
【特許文献２】特開２００９−２４７６５９号公報
【特許文献３】特開２０１４−１４０４２８号公報
【考案の概要】
【考案が解決しようとする課題】
【００１０】
しかし，上述した図４の揺動人形３０は，上述したように自動的に揺動しながら前後左右に方向を変えることができるものの，ある想定された範囲の動きを繰り返すように設計されたものであり，意表を突くような面白い動きを生み出すことができない問題点がある。例えば，揺動人形３０の動きの速度（揺動周期）はほぼ決まっており，設計に対して電気的又は機械的な大きな改造を加えない限り，揺動速度に変化を生じたり，途中で一旦停止させたりするようなことはできない。
【００１１】
揺動人形３０は，本来アクセサリー置物として観察者に驚きを与えたり，広告媒体置物として観察者に深い印象を与えたりすることが求められているが，想定された範囲の動きを繰り返すだけでは観察者に与える驚きや印象が徐々に薄れてしまい，揺動人形３０に期待された効果を発揮することが難しくなってしまう。予め動きの設計された揺動人形３０であっても，期待される効果を発揮し続けるためには，ときに想定できない意表を突くような動きを生じる工夫が必要である。
【００１２】
そこで本考案の目的は，予め想定できないような面白い動きを生み出すことができるペア人形を提供することにある。
【課題を解決するための手段】
【００１３】
図１を参照するに，本考案によるペア人形は，動力源４７を有し且つその動力源４７により自動的に動く揺動部３１を少なくとも一部分に設けた揺動人形３０と，少なくとも一部分に外力に応じて振動する可動部２２を設けた振動人形２０と，揺動人形３０と振動人形２０とを相互に接触するように据え付ける設置台１０とを備えてなるものである。望ましい実施例では，揺動人形３０の動力源４７を太陽電池その他の電池とする。
【００１４】
好ましい実施例では，図１に示すように，設置台１０上の揺動人形３０と振動人形２０とを，揺動人形３０の揺動部３１と振動人形２０の可動部２２とが相互に接触するように据え付ける。もっとも，図２に示すように，揺動人形３０の揺動部３１と振動人形２０の非可動部２５とが相互に接触するように据え付けることも可能である。
【００１５】
更に好ましい実施例では，図１および図２に示すように，設置台１０上に揺動人形３０および振動人形２０の少なくとも一方を取り外し可能に据え付ける複数の留め部材１２を設ける。望ましい実施例では，図１および図２に示すように，設置台１０上に密着させて水準器１４を設ける。
【考案の効果】
【００１６】
本考案によるペア人形は，動力源４７を有して自動的に動く揺動部を少なくとも一部分に設けた揺動人形３０と，少なくとも一部分に外力に応じて振動する可動部を設けた振動人形２０とを，相互に接触するように設置台１０上に据え付けるので，予め繰り返す動きが設計されている揺動人形３０であっても，振動人形２０との衝突の反力により，ときに想定できない意表を突くような揺動人形３０の動きを生み出すことができる。
【００１７】
好ましくは，揺動人形３０の揺動部３１と振動人形２０の可動部２２とが相互に接触するように据え付けることにより，揺動人形３０と振動人形２０とを異なるタイミングで衝突させることが可能となり，衝突ごとに異なる反力を加えることで揺動人形３０の動きに更なる変化を生じさせることができる。
【００１８】
更に好ましくは，設置台１０上に複数の留め部材１２を設け，設置台１０上の揺動人形３０および振動人形２０の据え付け位置を適宜に切り替えることにより，揺動人形３０と振動人形２０とを異なる態様で接触させ，揺動人形３０の動きの変化にバリエーションを与えることが期待できる。
【図面の簡単な説明】
【００１９】
以下，添付図面を参照して本考案を実施するための形態および実施例を説明する。
【図１】本考案によるペア人形の一実施例の説明図である。
【図２】本考案によるペア人形の他の実施例の説明図である。
【図３】本考案のペア人形で用いる振動人形の一例の説明図である。
【図４】従来の揺動人形の一例の説明図である。
【考案を実施するための形態】
【００２０】
図１は，動力源４７を有する揺動人形３０と，動力源を有さずに外力に応じて振動する可動部を一部分に設けた振動人形２０とを，相互に接触するように設置台１０上に据え付けた本考案によるペア人形の実施例を示す。図示例の揺動人形３０はある範囲の動きを繰り返すように予め設計されたものであるが，振動人形２０と接触させることにより，衝突の反力によって意表を突くような揺動人形３０の動きを生み出すことができる。
【００２１】
図示例の揺動人形３０は，動力源４７として太陽電池その他の電池を有し，その動力源４７により自動的に動く揺動部３１と，その揺動部３１を揺動自在に支持する非揺動部４１とで構成されている。例えば図４を参照して上述した従来の揺動人形３０と同様に，揺動部３１の重心Ｃにピボット軸３６を設けると共に非揺動部４１にピボット軸受け４４を設け，非揺動部４１により揺動部３１を揺動自在に支持することができる。
【００２２】
また，図４の揺動人形３０と同様に，図１の揺動人形３０の非揺動部４１に動力源４７からスイッチング回路を介して通電されるコイル４５を含めると共に，揺動部３１にコイル４５と対向する永久磁石３９を含め，通電されたコイル４５と永久磁石３９とを互いに反発させることにより，その反発力によって非揺動部４１のピボット軸受け４４で支持した揺動部３１を振り子状に揺動させることができる。
【００２３】
図示例の揺動人形３０は，揺動部３１に人に模した顔部と手腕部５２ａ，５２ｂが取り付けられており，揺動部３１の振り子状の揺動により，あたかも人がダンスしているような動きを作り出すことができる。ただし，本考案で用いる揺動人形３０は図４と同じ構成のものに限定されるわけではなく，動力源４７を内蔵し，その動力源４７によって自動的に動く揺動部４１を有する従来の揺動人形３０を広く用いることができる。例えば，ぜんまいバネを動力源４７とし，その弾性バネの復元力によって自動的に揺動する揺動部を少なくとも一部分に設けた揺動人形３０としてもよい。
【００２４】
図示例の振動人形２０は，動力源を有さず，外力に応じて振動する可動部２２が一部分に設けられている。図３は，本考案で用いる振動人形２０の一例として，アカベコ（赤牛）等とも呼ばれる張り子人形を示している。図３（Ａ）に示す振動人形２０は，図３（Ｃ）に示すような棒状の可動部２２を，図３（Ｂ）に示すような中空状の非可動部２５により振動自在に保持したものである。棒状の可動部２２の一端には動物（牛）の顔の装飾が施され，他端には重り２３が取り付けられ，中央部にはひも状の係止部２４が取り付けられている。また，中空状の非可動部２５には，表面に動物（牛）の胴体の装飾が施されると共に，中空部２６の一部に可動部２２を挿入する穴２７が形成されており，その挿入穴２７の上端近くにひも状の係止部２４を支持する係止孔２８が穿たれている。
【００２５】
図３（Ａ）に示すように，棒状の可動部２２の重り２３を取り付けた他端を非可動部２５の挿入穴２７に差し入れ，可動部２２の中央部の係止部２４を非可動部２５の係止孔２８に通して吊り下げることにより，可動部２２を振動自在に非可動部２５に支持することができる。このように可動部２２を支持した状態で，非可動部２５の外側に残された可動部２２の一端の牛の顔の部分に外力を加えることにより，その外力に応じて可動部２２を一定時間振動させることができる。
【００２６】
ただし，本考案で用いる振動人形２０は図３のような張り子人形に限定されるわけではなく，動力源を有さず，外力に応じて振動する可動部２２が一部分に設けられた従来の振動人形２０を広く用いることができる。例えば，可動部２２と非可動部２５とをコイル状スプリングで連結し，可動部２２に外力を加えることにより，スプリングの復元力によって可動部２２を一定時間振動さえるような人形を用いることもできる。
【００２７】
図１に示すように，上述した揺動人形３０と振動人形２０とを相互に接触するように平板な設置台１０上に据え付ける。例えば接着剤や両面テープ等を用いて揺動人形３０の非揺動部４１を設置台１０に固定すると共に，振動人形２０の非可動部２５を設置台１０に固定することができる。ただし，接着剤等を用いて設置台１０上に揺動人形３０と振動人形２０とを固定しまうと，人形３０，２０の据え付け位置を簡単に切り替えることができなくなり，揺動人形３０と振動人形２０とを新たな態様で接触させるようなことが難しくなる。好ましくは，揺動人形３０と振動人形２０とを取り外し可能に設置台１０上に据え付ける。
【００２８】
図示例の設置台１０は，揺動人形３０と振動人形２０とを取り外し可能に据え付ける複数の留め部材１２が表面に設けられている。例えば，設置台１０の表面に複数の針状突起（例えばピンやフック凸部等）を設けて留め部材１２とし，揺動人形３０の非揺動部４１を所定位置の留め部材１２によって設置台１０に固定すると共に，振動人形２０の非可動部２５を異なる位置の留め部材１２によって設置台１０に固定することができる。必要に応じて，揺動人形３０の非揺動部４１および振動人形２０の非可動部２５に，設置台１０上の留め部材１２と着脱自在に結合する結合部材（例えばフック凸部と嵌り込むフック凹部等）を設けることができる。
【００２９】
或いは，設置台１０の表面に面ファスナーのフック（又はループ）を配置し，揺動人形３０の非揺動部４１および振動人形２０の非可動部２５に面ファスナーのループ（又はフック）を配置してもよい。このような留め部材１２を用いることにより，設置台１０上の人形３０，２０の据え付け位置を適宜に切り替えることができ，揺動人形３０と振動人形２０とを新たな態様で接触させることにより，揺動人形３０の動きの変化にバリエーションを与えることが期待できる。
【００３０】
図１の実施例では，設置台１０のほぼ表面全体に複数の留め部材１２を配置し，揺動人形３０，振動人形２０を何れも取り外し可能なものとしているので，揺動人形３０と振動人形２０とを相互に接触するように設置台１０上の任意の位置に配置することができる。ただし，何れか一方の人形３０，２０を設置台１０上に取り外しできないように固定し，他方のみを取り外しできるものとしてもよい。例えば図２に示すように，設置台１０上のほぼ中央に振動人形２０を取り外しできないように固定し，揺動人形３０をその周囲の相互に接触する位置に取り外し可能に配置する。このような場合は，留め部材１２を設置台１０の表面全体に配置する必要はなく，設置台１０の表面の振動人形２０の周囲にだけ留め部材１２を配置すれば足りる。
【００３１】
更に好ましくは，図１に示すように，設置台１０上に密着させた水準器１４を設ける。水準器１４は，水平器又はレベルとも称されるものであり，水平に対する設置台１０の角度又は傾斜を確認するための器具である。例えば，樹脂製ケースに液体と気泡とを封入した気泡管水準器１４を用い，液体中に浮かぶ気泡の位置から設置台１０が水平であることを確認することができる。設置台１０が傾いていると，揺動人形３０と振動人形２０とを相互に接触するように据え付けたとしても，両人形３０，２０を安定的に接触させることができないおそれが生じる。設置台１０上に水準器１４を設け，設置台１０が水平であることを確認したうえで揺動人形３０と振動人形２０とを据え付けることにより，両人形３０，２０を安定的に接触させることができる。
【００３２】
設置台１０上の水準器１４は，揺動人形３０および振動人形２０を据え付ける時だけでなく，揺動人形３０および振動人形２０を据え付けた後の設置台１０を移動する場合にも役にたつ。すなわち，両人形３０，２０が据え付けられた設置台１０を他の場所に移動する場合に，設置後の場所において水準器１４を参照しながら両人形３０，２０を水平に設置することにより，設置前の場所において微妙に据え付けられた両人形３０，２０をそのまま設置後の場所に移動することが簡単にでき，両人形３０，２０の意表を突くような接触を再現することができる。
【００３３】
図１のように揺動人形３０と振動人形２０とを相互に接触するように設置台１０上に据え付けると，予め繰り返す動きが設計されている揺動人形３０であっても，振動人形２０との衝突の反力により，設計時には想定されていなかった意表を突くような揺動人形３０の動きを生み出すことができる。また，図１のように揺動人形３０の揺動部３１と振動人形２０の可動部２２とが相互に接触するように据え付けることにより，揺動人形３０と振動人形２０とを異なるタイミングで衝突させることができ，衝突ごとに異なる反力を加えることで揺動人形３０の動きに更なる変化を生じさせることができる。
【００３４】
図２は，本考案によるペア人形の他の実施例を示す。図２のペア人形も，揺動人形３０と振動人形２０とを相互に接触するように設置台１０上に据え付けているが，図１の場合と異なり，揺動人形３０の揺動部３１と振動人形２０の非可動部２５とを相互に接触させている。図２のように揺動人形３０の揺動部３１と振動人形２０の非可動部２５とが接触させる場合は，図１の場合のように揺動人形３０と振動人形２０との衝突のタイミングに変化を生じさせることはできないが，揺動人形３０に対して衝突の反力が加わることにより，設計時には想定されていなかった意表を突くような揺動人形３０の動きを生み出すことができる。
【００３５】
こうして，本考案の目的である「予め想定できないような面白い動きを生み出すことができるペア人形」の提供を達成することができる。
【００３６】
なお，本考案で用いる振動人形２０は，例えば図３の張り子人形ように外力に応じて可動部２２を一定時間振動させるものであり，動力源を有していないので，一定時間が経過すると振動が停止してしまうものである。しかし，図１および図２のように揺動人形３０と振動人形２０とを相互に接触するように据え付けると，揺動人形３０との衝突により振動人形２０に外力が継続的に加わるので，揺動人形３０の可動部２２も継続的に振動させることが可能となる。すなわち，本考案のペア人形によれば，揺動人形２０に予め想定できないような面白い動きを生み出すことができるだけでなく，動力源を有していない振動人形２０においても可動部２２を継続的に振動させる新たな動きを生じさせることができる。
【符号の説明】
【００３７】
１０…設置台                            １２…留め部材
１４…水準器
２０…振動人形
２２…可動部（頭部）                    ２３…重り
２４…係止具（係止ひも）                ２５…非可動部（胴体部）
２６…中空部                            ２７…可動部挿入穴
２８…係止孔
３０…揺動人形
３１…揺動部（筒状フレーム部）          ３２…弾性枠部
３３…円筒状基礎部                      ３４…フランジ部
３５…支持部材                          ３６…ピポット軸
３９…永久磁石
４１…非揺動部（軸受け部）              ４２…台座
４３ａ，４３ｂ…据え付け部              ４４…ピポット軸受
４５…コイル                            ４６ａ，４６ｂ…リード線
４７…動力源（電池）
５１…外部装着材（被覆部）              ５２ａ，５２ｂ…手腕部
【図１】
0003231678.tif 000003
【図２】
0003231678.tif 000004
【図３】
0003231678.tif 000005
【図４】
0003231678.tif 000006